(57)【要約】【課題】  ガイドレールを簡単に仮設して揺れを防止しながら作業することができる壁面作業用ガイド装置およびその設置方法を提供すること。【解決手段】  壁面５に直線上に固定した壁面固定部材１３のレール固定部１５に仮設ガイドレール１１を昇降体４で吊り下げて装着しながらスライドさせ、上端部を壁面固定部材１３のレール支持部材１４ｆに支持させるとともに、レール固定部１５で固定することでガイドレール１１を設置する。  これにより、ガイドレールを簡単に設置できるようにし、このガイドレール１１に沿って転動するように昇降体４のガイドローラ１２を装着することで、仮設ガイドレール１１にガイドさせて揺れを防止し、安定した状態で昇降体４から作業するようにする。【選択図】  図３
2008115683.tif 000002
【特許請求の範囲】
【請求項１】
壁面と、壁面に沿って少なくとも昇降する昇降体との間のいずれか一方に設けられる仮設ガイドレールと、いずれか他方に設けられ前記仮設ガイドレールに沿ってガイドするガイド部材とからなる昇降体をガイドする壁面作業用仮設ガイド装置であって、
前記仮設ガイドレールを固定しまたは上下方向にスライド可能に支持するレール固定部を備える壁面固定部材を前記壁面に間隔をあけて直線上に複数固定するとともに、少なくとも上端部に配設される前記壁面固定部材に前記仮設ガイドレールの上端部を支持するレール支持部材を設ける一方、
前記昇降体に前記仮設ガイドレールに沿って転動しガイドするガイドローラを設けて前記ガイド部材を構成したことを特徴とする壁面作業用仮設ガイド装置。
【請求項２】
前記ガイドローラを、前記仮設ガイドレールを両側から挟んで転動する少なくとも２個１対で構成するとともに、１対のガイドローラを前記仮設ガイドレールのレール幅より広い間隔で取り付けかつ１対のガイドローラを前記ガイドレールのレール面と直交する揺動軸回りに揺動可能とし当該仮設ガイドレールに装着したのち揺動して挟持可能に構成したことを特徴とする請求項１記載の壁面作業用仮設ガイド装置。
【請求項３】
前記ガイドローラをガイドローラ取付部材の上下に設け、このガイドローラ取付部材の中央部を壁面と平行な水平軸回りに回動可能かつ壁面に直交する垂直軸回りに回動可能に前記昇降体に取り付けてガイドすることを特徴とする請求項１または２記載の壁面作業用仮設ガイド装置。
【請求項４】
前記昇降体に、前記仮設ガイドレールを吊り下げて前記レール固定部に沿ってスライド昇降させるガイドレール吊下げアームを設けたことを特徴とする請求項１〜３のいずれかに記載の壁面作業用仮設ガイド装置。
【請求項５】
前記ガイドレール吊下げアームを、前記昇降体内に収納可能な折り畳み構造として構成したことを特徴とする請求項４記載の壁面作業用仮設ガイド装置。
【請求項６】
前記レール固定部の上下に前記仮設ガイドレールの挿入をガイドするロート状のガイド部を形成してなることを特徴とする請求項１〜５のいずれかに記載の壁面作業用仮設ガイド装置。
【請求項７】
壁面と、壁面に沿って少なくとも昇降する昇降体との間のいずれか一方に設けられる仮設ガイドレールと、いずれか他方に設けられ前記仮設ガイドレールに沿ってガイドするガイド部材とからなる昇降体をガイドする壁面作業用仮設ガイド装置であって、
前記仮設ガイドレールを、前記昇降体に間隔をあけて昇降方向に設置する一方、
前記仮設ガイドレールを上下方向にスライド可能に支持するレール支持部材を前記壁面に複数設けて前記ガイド部材を構成したことを特徴とする壁面作業用仮設ガイド装置。
【請求項８】
前記レール支持部材を、前記昇降体の前記仮設ガイドレールの少なくとも上下２箇所を同時に支持しえる間隔に設置してなることを特徴とする請求項7記載の壁面作業用仮設ガイド装置。
【請求項９】
前記レール支持部材を、上下端部に大径の円すいガイド部を備えるとともに、前記昇降体との対向部に前記仮設ガイドレールを挿通し得るガイド溝部を設けて構成したことを特徴とする請求項7または８記載の壁面作業用仮設ガイド装置。
【請求項１０】
前記仮設ガイドレールを、前記昇降体に自由度を付与して取り付けてなることを特徴とする請求項７〜９のいずれかに記載の壁面作業用仮設ガイド装置。
【請求項１１】
前記仮設ガイドレールの前記昇降体より下方の突出部を伸縮収納可能に構成したことを特徴とする請求項７〜１０のいずれかに記載の壁面作業用仮設ガイド装置。
【請求項１２】
前記昇降体が沿って昇降する壁面に当該昇降体の昇降をガイドするガイドローラ用の仮設ガイドレールを設置するに際し、
壁面に間隔をあけて直線上に前記仮設ガイドレールを固定しまたは上下方向にスライド可能に支持するレール固定部を備える壁面固定部材を複数固定し、
前記昇降体で前記仮設ガイドレールの上端を吊り下げて上昇しながら前記レール固定部に挿入スライドさせて装着するとともに、必要に応じて前記仮設レールを連結延長する一方、
少なくとも上端部に配設される前記壁面固定部材に設けられたレール支持部材に前記仮設ガイドレールの上端部を吊り替えて支持させた後、
前記壁面固定部材の前記レール固定部で当該仮設ガイドレールを固定して設置するようにしたことを特徴とする壁面作業用仮設ガイドレールの設置方法。
【請求項１３】
前記仮設ガイドレールを吊り下げて上昇した後、あるいは前記仮設ガイドレールをレール固定部に固定して設置した後に、前記昇降体に設けた前記ガイドローラで前記仮設ガイドレールを両側から挟んで転動してガイドするようにしたことを特徴とする請求項１２記載の壁面作業用仮設ガイドレールの設置方法。
【請求項１４】
前記仮設ガイドレールを固定している前記レール固定部で当該仮設ガイドレールをスライド可能にした後、前記昇降体で当該ガイドレールを吊り下げて吊り替え、この昇降体を下降させるとともに仮設ガイドレールをスライド下降させて予め壁面に固定しておいた前記壁面固定部材のレール固定部に挿入しながらスライドさせて装着し、下降移設した当該仮設ガイドレールの上端部をレール支持部材に吊り替えて支持させた後、前記レール固定部で仮設ガイドレールを固定設置するようにしたことを特徴とする請求項１２または１３記載の壁面作業用仮設ガイドレールの設置方法。
【請求項１５】
前記昇降体に、前記仮設ガイドレールの昇降および吊り替えを行う吊下げアームを設けて前記仮設ガイドレールの設置および移設を行うようにしたことを特徴とする請求項１２〜１４のいずれかに記載の壁面作業用仮設ガイドレールの設置方法。
【発明の詳細な説明】
【技術分野】
【０００１】
この発明は壁面作業用仮設ガイド装置およびその設置方法に関し、作業用ゴンドラなどの昇降体で壁面に沿って昇降しながら作業を行う場合のゆれなどを防止できるようにしたもので、簡単に仮設できるとともに、安定して作業を行うことができるようにしたもので、特に既設のガイドレールなどが設置してないマンションなどの集合住宅での作業に好適なものである。
【背景技術】
【０００２】
建築物などにおける窓清掃や外壁面の保守点検作業などを効率的に行う場合に、仮設足場を設置して作業を行うのに替え、建築物の上部から吊りロープを垂下して設け、この吊りロープを介して、いわゆるゴンドラと称する有人作業用ケージを昇降可能に吊り下げて仮設し、この作業用ケージに作業者が搭乗して作業を行うようにする仮設ゴンドラ装置を用いることが行なわれている。
【０００３】
このような仮設ゴンドラ装置による作業では、作業用ケージが吊りロープで吊り下げられるため揺れが生じ、壁面に対する作業に伴う反力により揺れが助長され、作業がやり難い。
【０００４】
そこで、高層ビルなどでは、予めビルを構築する際に壁面にガイドレールを設置しておき、作業用ケージに設けたガイドローラをガイドレールに沿って転動させて昇降することで揺れを防止することが行なわれる場合も多いが、中低層ビルやマンションなどの集合住宅では、ガイドレールが設置されていない場合も多く、例えば特許文献1に開示されているような壁面に吸着させる真空吸着パッドなどを用いて仮設ゴンドラ装置の有人作業ケージとワイヤロープなどで連結することで、揺れを防止することが行なわれている。
【特許文献１】実開平５―３０３３８号公報
【発明の開示】
【発明が解決しようとする課題】
【０００５】
ところが、建築物の壁面に吸着させる真空吸着パッドを用いて作業用ケージのゆれを防止する場合には、これらの間を連結するワイヤロープを長くすると、作業用ケージの揺れを有効に防止しすることができなくなり、このワイヤロープを短くして揺れを防止しやすくしたり、特許文献１のようにアーム機構とすると、真空吸着パッドを吸着させた状態で作業できる範囲が限定され、たびたび真空吸着パッドの盛り替えをしなければならず、作業効率が悪いという問題がある。
【０００６】
この発明は、上記従来技術が有する課題に鑑みてなされたもので、ガイドレールを簡単に仮設して揺れを防止しながら作業することができる壁面作業用ガイド装置およびその設置方法を提供しようとするものである。
【課題を解決するための手段】
【０００７】
上記課題を解決するためこの発明の請求項１にかかる壁面作業用ガイド装置は、壁面と、壁面に沿って少なくとも昇降する昇降体との間のいずれか一方に設けられる仮設ガイドレールと、いずれか他方に設けられ前記仮設ガイドレールに沿ってガイドするガイド部材とからなる昇降体をガイドする壁面作業用仮設ガイド装置であって、前記仮設ガイドレールを固定しまたは上下方向にスライド可能に支持するレール固定部を備える壁面固定部材を前記壁面に間隔をあけて直線上に複数固定するとともに、少なくとも上端部に配設される前記壁面固定部材に前記仮設ガイドレールの上端部を支持するレール支持部材を設ける一方、前記昇降体に前記仮設ガイドレールに沿って転動しガイドするガイドローラを設けて前記ガイド部材を構成したことを特徴とするものである。
【０００８】
この壁面作業用仮設ガイド装置によれば、壁面と、壁面に沿って少なくとも昇降する昇降体との間のいずれか一方に設けられる仮設ガイドレールと、いずれか他方に設けられ前記仮設ガイドレールに沿ってガイドするガイド部材とからなる昇降体をガイドする壁面作業用仮設ガイド装置であって、前記仮設ガイドレールを固定しまたは上下方向にスライド可能に支持するレール固定部を備える壁面固定部材を前記壁面に間隔をあけて直線上に複数固定するとともに、少なくとも上端部に配設される前記壁面固定部材に前記仮設ガイドレールの上端部を支持するレール支持部材を設ける一方、前記昇降体に前記仮設ガイドレールに沿って転動しガイドするガイドローラを設けて前記ガイド部材を構成しており、壁面に直線上に固定した壁面固定部材のレール固定部に仮設ガイドレールを昇降体で吊り下げて装着しながらスライドさせ、上端部を壁面固定部材のレール支持部材に支持させるとともに、レール固定部で固定することでガイドレールを簡単に設置でき、このガイドレールに沿って転動するように昇降体のガイドローラを装着することで、仮設ガイドレールにガイドされて揺れを防止しでき、安定した状態で昇降体から作業できるようになる。
【０００９】
また、この発明の請求項２にかかる壁面作業用ガイド装置は、請求項１記載の構成に加え、前記ガイドローラを、前記仮設ガイドレールを両側から挟んで転動する少なくとも２個１対で構成するとともに、１対のガイドローラを前記仮設ガイドレールのレール幅より広い間隔で取り付けかつ１対のガイドローラを前記ガイドレールのレール面と直交する揺動軸回りに揺動可能とし当該仮設ガイドレールに装着したのち揺動して挟持可能に構成したことを特徴とするものである。
【００１０】
この壁面作業用仮設ガイド装置によれば、前記ガイドローラを、前記仮設ガイドレールを両側から挟んで転動する少なくとも２個１対で構成するとともに、１対のガイドローラを前記仮設ガイドレールのレール幅より広い間隔で取り付けかつ１対のガイドローラを前記ガイドレールのレール面と直交する揺動軸回りに揺動可能とし当該仮設ガイドレールに装着したのち揺動して挟持可能に構成しており、1対のガイドローラを仮設ガイドレールに装着して揺動して挟むようにすることで、簡単にガイドローラを仮設ガイドレールに装着してガイドできるようになる。
【００１１】
さらに、この発明の請求項３にかかる壁面作業用ガイド装置は、請求項１または２記載の構成に加え、前記ガイドローラをガイドローラ取付部材の上下に設け、このガイドローラ取付部材の中央部を壁面と平行な水平軸回りに回動可能かつ壁面に直交する垂直軸回りに回動可能に前記昇降体に取り付けてガイドすることを特徴とするものである。
【００１２】
この壁面作業用仮設ガイド装置によれば、前記ガイドローラをガイドローラ取付部材の上下に設け、このガイドローラ取付部材の中央部を壁面と平行な水平軸回りに回動可能かつ壁面に直交する垂直軸回りに回動可能に前記昇降体に取り付けてガイドするようにしており、ガイドローラと昇降体との接近離反方向の揺れを防止しながらこれらの間の姿勢変化を許容するようにしている。
【００１３】
また、この発明の請求項４にかかる壁面作業用ガイド装置は、請求項１〜３のいずれかに記載の構成に加え、前記昇降体に、前記仮設ガイドレールを吊り下げて前記レール固定部に沿ってスライド昇降させるガイドレール吊下げアームを設けたことを特徴とするものである。
【００１４】
この壁面作業用仮設ガイド装置によれば、前記昇降体に、前記仮設ガイドレールを吊り下げて前記レール固定部に沿ってスライド昇降させるガイドレール吊下げアームを設けており、このガイドレール吊り下げアームによって仮設ガイドレールを昇降させる場合の支持が簡単にできるようになる。
【００１５】
さらに、この発明の請求項５にかかる壁面作業用ガイド装置は、請求項４記載の構成に加え、前記ガイドレール吊下げアームを、前記昇降体内に収納可能な折り畳み構造として構成したことを特徴とするものである。
【００１６】
この壁面作業用仮設ガイド装置によれば、前記ガイドレール吊下げアームを、前記昇降体内に収納可能な折り畳み構造として構成しており、仮設ガイドレールの設置や盛り替え（移設）の場合以外にガイドレール吊下げアームを折り畳むことで、昇降体からの作業の邪魔にならず、効率良く作業できるようになる。
【００１７】
また、この発明の請求項６にかかる壁面作業用ガイド装置は、請求項１〜５のいずれかに記載の構成に加え、前記レール固定部の上下に前記仮設ガイドレールの挿入をガイドするロート状のガイド部を形成してなることを特徴とするものである。
【００１８】
この壁面作業用仮設ガイド装置によれば、前記レール固定部の上下に前記仮設ガイドレールの挿入をガイドするロート状のガイド部を形成してあり、これにより、仮設ガイドレールを吊上げて上昇させて設置する場合や下降させて移設する場合に容易にレール固定部に挿入スライドさせることができ、仮設作業が容易にできるようになる。
【００１９】
さらに、この発明の請求項７にかかる壁面作業用ガイドレール装置は、壁面と、壁面に沿って少なくとも昇降する昇降体との間のいずれか一方に設けられる仮設ガイドレールと、いずれか他方に設けられ前記仮設ガイドレールに沿ってガイドするガイド部材とからなる昇降体をガイドする壁面作業用仮設ガイド装置であって、前記仮設ガイドレールを、前記昇降体に間隔をあけて昇降方向に設置する一方、前記仮設ガイドレールを上下方向にスライド可能に支持するレール支持部材を前記壁面に複数設けて前記ガイド部材を構成したことを特徴とするものである。
【００２０】
この壁面作業用仮設ガイド装置によれば、壁面と、壁面に沿って少なくとも昇降する昇降体との間のいずれか一方に設けられる仮設ガイドレールと、いずれか他方に設けられ前記仮設ガイドレールに沿ってガイドするガイド部材とからなる昇降体をガイドする壁面作業用仮設ガイド装置であって、前記仮設ガイドレールを、前記昇降体に間隔をあけて昇降方向に設置する一方、前記仮設ガイドレールを上下方向にスライド可能に支持するレール支持部材を前記壁面に複数設けて前記ガイド部材を構成しており、昇降体に仮設ガイドレールを設け、壁面に仮設ガイドレールをスライド可能に支持するレール支持部材を設けてガイド部材とすることで、壁面にレール支持部材を設けるだけで昇降体をガイドできるようになり、揺れを防止して安定した状態で昇降体から作業できるようになる。
【００２１】
また、この発明の請求項８にかかる壁面作業用ガイドレール装置は、請求項7記載の構成に加え、前記レール支持部材を、前記昇降体の前記仮設ガイドレールの少なくとも上下２箇所を同時に支持しえる間隔に設置してなることを特徴とするものである。
【００２２】
この壁面作業用仮設ガイド装置によれば、前記レール支持部材を、前記昇降体の前記仮設ガイドレールの少なくとも上下２箇所を同時に支持しえる間隔に設置するようにしており、昇降体の仮設ガイドレールの上下２箇所をレール支持部材で支持することで、昇降位置によらずガイドでき、安定した状態で作業できるようになる。
【００２３】
さらに、この発明の請求項９にかかる壁面作業用ガイドレール装置は、請求項7または８記載の構成に加え、前記レール支持部材を、上下端部に大径の円すいガイド部を備えるとともに、前記昇降体との対向部に前記仮設ガイドレールを挿通し得るガイド溝部を設けて構成したことを特徴とするものである。
【００２４】
この壁面作業用仮設ガイド装置によれば、前記レール支持部材を、上下端部に大径の円すいガイド部を備えるとともに、前記昇降体との対向部に前記仮設ガイドレールを挿通し得るガイド溝部を設けて構成しており、円すいガイド部によってレール支持部材の乗り移りがスムーズにでき、ガイド溝部で昇降体を円滑に通過させるようにしている。
【００２５】
また、この発明の請求項１０にかかる壁面作業用ガイドレール装置は、請求項７〜９のいずれかに記載の構成に加え、前記仮設ガイドレールを、前記昇降体に自由度を付与して取り付けてなることを特徴とするものである。
【００２６】
この壁面作業用仮設ガイド装置によれば、前記仮設ガイドレールを、前記昇降体に自由度を付与して取り付けてあり、レール支持部材の取り付け状態によらずスムーズに昇降してガイドできるようになる。
【００２７】
さらに、この発明の請求項１１にかかる壁面作業用ガイドレール装置は、請求項７〜１０のいずれかに記載の構成に加え、前記仮設ガイドレールの前記昇降体より下方の突出部を伸縮収納可能に構成したことを特徴とするものである。
【００２８】
この壁面作業用仮設ガイド装置によれば、前記仮設ガイドレールの前記昇降体より下方の突出部を伸縮収納可能に構成しており、仮設ガイドレールに昇降体から下方に突き出す部分があってもその影響を受けずに下降させて作業できるようになる。
【００２９】
また、この発明の請求項１２にかかる壁面作業用ガイドレールの設置方法は、昇降体が沿って昇降する壁面に当該昇降体の昇降をガイドするガイドローラ用の仮設ガイドレールを設置するに際し、壁面に間隔をあけて直線上に前記仮設ガイドレールを固定しまたは上下方向にスライド可能に支持するレール固定部を備える壁面固定部材を複数固定し、前記昇降体で前記仮設ガイドレールの上端を吊り下げて上昇しながら前記レール固定部に挿入スライドさせて装着するとともに、必要に応じて前記仮設レールを連結延長する一方、少なくとも上端部に配設される前記壁面固定部材に設けられたレール支持部材に前記仮設ガイドレールの上端部を吊り替えて支持させた後、前記壁面固定部材の前記レール固定部で当該仮設ガイドレールを固定して設置するようにしたことを特徴とするものである。
【００３０】
この壁面作業用仮設ガイドレールの設置方法によれば、昇降体が沿って昇降する壁面に当該昇降体の昇降をガイドするガイドローラ用の仮設ガイドレールを設置するに際し、壁面に間隔をあけて直線上に前記仮設ガイドレールを固定しまたは上下方向にスライド可能に支持するレール固定部を備える壁面固定部材を複数固定し、前記昇降体で前記仮設ガイドレールの上端を吊り下げて上昇しながら前記レール固定部に挿入スライドさせて装着するとともに、必要に応じて前記仮設レールを連結延長する一方、少なくとも上端部に配設される前記壁面固定部材に設けられたレール支持部材に前記仮設ガイドレールの上端部を吊り替えて支持させた後、前記壁面固定部材の前記レール固定部で当該仮設ガイドレールを固定して設置するようにしており、壁面に直線上にレール固定部を備えた壁面固定部材を固定し、仮設ガイドレールを昇降体で吊り下げて上昇しながら装着してスライドさせ、上端部を壁面固定部材のレール支持部材に支持させるとともに、レール固定部で固定することでガイドレールを簡単に設置でき、このガイドレールに沿って転動するように昇降体のガイドローラを装着することで、仮設ガイドレールにガイドされて揺れを防止しでき、安定した状態で昇降体から作業できるようになる。
【００３１】
さらに、この発明の請求項１３にかかる壁面作業用ガイドレールの設置方法は、請求項１２記載の構成に加え、前記仮設ガイドレールを吊り下げて上昇した後、あるいは前記仮設ガイドレールをレール固定部に固定して設置した後に、前記昇降体に設けた前記ガイドローラで前記仮設ガイドレールを両側から挟んで転動してガイドするようにしたことを特徴とするものである。
【００３２】
この壁面作業用仮設ガイドレールの設置方法によれば、前記仮設ガイドレールを吊り下げて上昇した後、あるいは前記仮設ガイドレールをレール固定部に固定して設置した後に、前記昇降体に設けた前記ガイドローラで前記仮設ガイドレールを両側から挟んで転動してガイドするようにしており、仮設したガイドレールに昇降体のガイドローラを両側から挟むようにすることで、簡単に仮設ガイドレールに装着してガイドできるようになる。
【００３３】
また、この発明の請求項１４にかかる壁面作業用ガイドレールの設置方法は、請求項１２または１３記載の構成に加え、前記仮設ガイドレールを固定している前記レール固定部で当該仮設ガイドレールをスライド可能にした後、前記昇降体で当該ガイドレールを吊り下げて吊り替え、この昇降体を下降させるとともに仮設ガイドレールをスライド下降させて予め壁面に固定しておいた前記壁面固定部材のレール固定部に挿入しながらスライドさせて装着し、下降移設した当該仮設ガイドレールの上端部をレール支持部材に吊り替えて支持させた後、前記レール固定部で仮設ガイドレールを固定設置するようにしたことを特徴とするものである。
【００３４】
この壁面作業用仮設ガイドレールの設置方法によれば、前記仮設ガイドレールを固定している前記レール固定部で当該仮設ガイドレールをスライド可能にした後、前記昇降体で当該ガイドレールを吊り下げて吊り替え、この昇降体を下降させるとともに仮設ガイドレールをスライド下降させて予め壁面に固定しておいた前記壁面固定部材のレール固定部に挿入しながらスライドさせて装着し、下降移設した当該仮設ガイドレールの上端部をレール支持部材に吊り替えて支持させた後、前記レール固定部で仮設ガイドレールを固定設置するようにしており、仮設ガイドレールを下方に移設する場合にもレール固定部を緩めて昇降体に吊り替えて下降させてスライドすることで、移設する壁面に固定したレール固定部に固定設置して簡単に移設できるようになる。
【００３５】
さらに、この発明の請求項１５にかかる壁面作業用ガイドレールの設置方法は、請求項１２〜１４のいずれかに記載の構成に加え、前記昇降体に、前記仮設ガイドレールの昇降および吊り替えを行う吊下げアームを設けて前記仮設ガイドレールの設置および移設を行うようにしたことを特徴とするものである。
【００３６】
この壁面作業用仮設ガイドレールの設置方法によれば、前記昇降体に、前記仮設ガイドレールの昇降および吊り替えを行う吊下げアームを設けて前記仮設ガイドレールの設置および移設を行うようにしており、ガイドレール吊り下げアームで吊り下げることで簡単に仮設したり、移設できるようになる。
【発明の効果】
【００３７】
この発明の請求項１にかかる壁面作業用ガイド装置によれば、壁面と、壁面に沿って少なくとも昇降する昇降体との間のいずれか一方に設けられる仮設ガイドレールと、いずれか他方に設けられ前記仮設ガイドレールに沿ってガイドするガイド部材とからなる昇降体をガイドする壁面作業用仮設ガイド装置であって、前記仮設ガイドレールを固定しまたは上下方向にスライド可能に支持するレール固定部を備える壁面固定部材を前記壁面に間隔をあけて直線上に複数固定するとともに、少なくとも上端部に配設される前記壁面固定部材に前記仮設ガイドレールの上端部を支持するレール支持部材を設ける一方、前記昇降体に前記仮設ガイドレールに沿って転動しガイドするガイドローラを設けて前記ガイド部材を構成したので、壁面に直線上に固定した壁面固定部材のレール固定部に仮設ガイドレールを昇降体で吊り下げて装着しながらスライドさせ、上端部を壁面固定部材のレール支持部材に支持させるとともに、レール固定部で固定することでガイドレールを簡単に設置することができ、このガイドレールに沿って転動するように昇降体のガイドローラを装着することで、仮設ガイドレールにガイドされて揺れを防止することができ、安定した状態で昇降体から作業することができる。
【００３８】
また、この発明の請求項２にかかる壁面作業用ガイド装置によれば、前記ガイドローラを、前記仮設ガイドレールを両側から挟んで転動する少なくとも２個１対で構成するとともに、１対のガイドローラを前記仮設ガイドレールのレール幅より広い間隔で取り付けかつ１対のガイドローラを前記ガイドレールのレール面と直交する揺動軸回りに揺動可能とし当該仮設ガイドレールに装着したのち揺動して挟持可能に構成したので、1対のガイドローラを仮設ガイドレールに装着して揺動して挟むようにすることで、簡単にガイドローラを仮設ガイドレールに装着してガイドすることができる。
【００３９】
さらに、この発明の請求項３にかかる壁面作業用ガイド装置によれば、前記ガイドローラをガイドローラ取付部材の上下に設け、このガイドローラ取付部材の中央部を壁面と平行な水平軸回りに回動可能かつ壁面に直交する垂直軸回りに回動可能に前記昇降体に取り付けてガイドするようにしたので、ガイドローラと昇降体との接近離反方向の揺れを防止しながらこれらの間の姿勢変化を許容することができる。
【００４０】
また、この発明の請求項４にかかる壁面作業用ガイド装置によれば、前記昇降体に、前記仮設ガイドレールを吊り下げて前記レール固定部に沿ってスライド昇降させるガイドレール吊下げアームを設けたので、このガイドレール吊り下げアームによって仮設ガイドレールを昇降させる場合の支持を簡単に行うことができる。
【００４１】
さらに、この発明の請求項５にかかる壁面作業用ガイド装置によれば、前記ガイドレール吊下げアームを、前記昇降体内に収納可能な折り畳み構造として構成したので、仮設ガイドレールの設置や盛り替え（移設）の場合以外にガイドレール吊下げアームを折り畳むことで、昇降体からの作業の邪魔にならず、効率良く作業することができる。
【００４２】
また、この発明の請求項６にかかる壁面作業用ガイド装置によれば、前記レール固定部の上下に前記仮設ガイドレールの挿入をガイドするロート状のガイド部を形成したので、これにより、仮設ガイドレールを吊上げて上昇させて設置する場合や下降させて移設する場合に容易にレール固定部に挿入スライドさせることができ、仮設作業を容易に行うことができる。
【００４３】
さらに、この発明の請求項７にかかる壁面作業用ガイドレール装置によれば、壁面と、壁面に沿って少なくとも昇降する昇降体との間のいずれか一方に設けられる仮設ガイドレールと、いずれか他方に設けられ前記仮設ガイドレールに沿ってガイドするガイド部材とからなる昇降体をガイドする壁面作業用仮設ガイド装置であって、前記仮設ガイドレールを、前記昇降体に間隔をあけて昇降方向に設置する一方、前記仮設ガイドレールを上下方向にスライド可能に支持するレール支持部材を前記壁面に複数設けて前記ガイド部材を構成したので、昇降体に仮設ガイドレールを設け、壁面に仮設ガイドレールをスライド可能に支持するレール支持部材を設けてガイド部材とすることで、壁面にレール支持部材を設けるだけで昇降体をガイドすることができ、揺れを防止して安定した状態で昇降体から作業することができる。
【００４４】
また、この発明の請求項８にかかる壁面作業用ガイドレール装置によれば、前記レール支持部材を、前記昇降体の前記仮設ガイドレールの少なくとも上下２箇所を同時に支持しえる間隔に設置するようにしたので、昇降体の仮設ガイドレールの上下２箇所をレール支持部材で支持することで、昇降位置によらずガイドすることができ、安定した状態で作業することができる。
【００４５】
さらに、この発明の請求項９にかかる壁面作業用ガイドレール装置によれば、前記レール支持部材を、上下端部に大径の円すいガイド部を備えるとともに、前記昇降体との対向部に前記仮設ガイドレールを挿通し得るガイド溝部を設けて構成したので、円すいガイド部によってレール支持部材の乗り移りをスムーズに行うことができ、ガイド溝部で昇降体を円滑に通過させることができる。
【００４６】
また、この発明の請求項１０にかかる壁面作業用ガイドレール装置によれば、前記仮設ガイドレールを、前記昇降体に自由度を付与して取り付けたので、レール支持部材の取り付け状態によらずスムーズに昇降してガイドすることができる。
【００４７】
さらに、この発明の請求項１１にかかる壁面作業用ガイドレール装置によれば、前記仮設ガイドレールの前記昇降体より下方の突出部を伸縮収納可能に構成したので、仮設ガイドレールに昇降体から下方に突き出す部分があってもその影響を受けずに下降させて作業することができる。
【００４８】
また、この発明の請求項１２にかかる壁面作業用ガイドレールの設置方法によれば、昇降体が沿って昇降する壁面に当該昇降体の昇降をガイドするガイドローラ用の仮設ガイドレールを設置するに際し、壁面に間隔をあけて直線上に前記仮設ガイドレールを固定しまたは上下方向にスライド可能に支持するレール固定部を備える壁面固定部材を複数固定し、前記昇降体で前記仮設ガイドレールの上端を吊り下げて上昇しながら前記レール固定部に挿入スライドさせて装着するとともに、必要に応じて前記仮設レールを連結延長する一方、少なくとも上端部に配設される前記壁面固定部材に設けられたレール支持部材に前記仮設ガイドレールの上端部を吊り替えて支持させた後、前記壁面固定部材の前記レール固定部で当該仮設ガイドレールを固定して設置するようにしたので、壁面に直線上にレール固定部を備えた壁面固定部材を固定し、仮設ガイドレールを昇降体で吊り下げて上昇ながら装着してスライドさせ、上端部を壁面固定部材のレール支持部材に支持させるとともに、レール固定部で固定することでガイドレールを簡単に設置することができ、このガイドレールに沿って転動するように昇降体のガイドローラを装着することで、仮設ガイドレールにガイドされて揺れを防止することができ、安定した状態で昇降体から作業をおこなうことができる。
【００４９】
さらに、この発明の請求項１３にかかる壁面作業用ガイドレールの設置方法によれば、前記仮設ガイドレールを吊り下げて上昇した後、あるいは前記仮設ガイドレールをレール固定部に固定して設置した後に、前記昇降体に設けた前記ガイドローラで前記仮設ガイドレールを両側から挟んで転動してガイドするようにしたので、仮設したガイドレールに昇降体のガイドローラを両側から挟むようにすることで、簡単に仮設ガイドレールに装着してガイドさせることができる。
【００５０】
また、この発明の請求項１４にかかる壁面作業用ガイドレールの設置方法によれば、前記仮設ガイドレールを固定している前記レール固定部で当該仮設ガイドレールをスライド可能にした後、前記昇降体で当該ガイドレールを吊り下げて吊り替え、この昇降体を下降させるとともに仮設ガイドレールをスライド下降させて予め壁面に固定しておいた前記壁面固定部材のレール固定部に挿入しながらスライドさせて装着し、下降移設した当該仮設ガイドレールの上端部をレール支持部材に吊り替えて支持させた後、前記レール固定部で仮設ガイドレールを固定設置するようにしたので、仮設ガイドレールを下方に移設する場合にもレール固定部を緩めて昇降体に吊り替えて下降させてスライドすることで、移設する壁面に固定したレール固定部に固定設置して簡単に移設することができる。
【００５１】
さらに、この発明の請求項１５にかかる壁面作業用ガイドレールの設置方法によれば、前記昇降体に、前記仮設ガイドレールの昇降および吊り替えを行う吊下げアームを設けて前記仮設ガイドレールの設置および移設を行うようにしたので、ガイドレール吊り下げアームで吊り下げることで簡単に仮設したり、移設することができる。
【発明を実施するための最良の形態】
【００５２】
以下、この発明の実施の形態を図面を参照して詳細に説明する。  
図１〜図５はこの発明の壁面作業用ガイド装置を有人作業用の作業ケージを備えるゴンドラ装置に適用した一実施の形態にかかり、図１は全体の概略側面図、図２は全体の概略正面図、図３は拡大した概略側面図、図４はガイドレール吊り上げアーム部分の概略正面図、図５はガイドローラ及び壁面固定部材の概略説明図である。
【００５３】
この壁面作業用ガイド装置１０は、例えば図１および図２に示すように、建築物１の屋上２などの上部から吊下げたワイヤロープ３を介して作業用ケージ４を昇降させ、作業用ケージ４内から外壁の清掃や保守、あるいは窓の清掃など壁面５に対する作業を行うゴンドラ装置６において、作業用ケージ４などの昇降体の揺れを防止するためのものであり、壁面５の作業用ケージ４の１箇所での作業範囲に、たとえば２本のガイドレール１１を仮設するとともに、作業用ケージ４に設けた左右１対のガイドローラ１２を仮設したガイドレール１１に装着（図示例では、各ガイドレールに上下二組のガイドローラを装着してある。）して昇降させ、壁面に対する左右および前後の揺れを防止するようガイドする。
【００５４】
なお、この壁面作業用ガイド装置１０では、屋上から垂下するワイヤロープ３の支持を台車式支持装置７で行い、作業用ケージ４内にエンドレス方式の巻上機８を設けて昇降させるゴンドラ装置６に適用した場合を図示したが、この形式のゴンドラ装置に限らず、屋上側にドラム方式など巻上機を備えて昇降するものや台車式に替え、固定式の支持装置でワイヤロープを支持するものなどにも適用でき、昇降体も有人作業用のケージに限らず、自動作業装置などであっても良い（自動作業装置では、ガイドレールの仮設の際に有人作業ケージを必要とする）。
【００５５】
この壁面作業用ガイド装置１０では、作業対象となる壁面５に仮設ガイドレール１１を固定して仮設するため壁面固定部材１３が使用される。
【００５６】
この壁面固定部材１３は、建築物１の壁面５側の固定に利用できる部分の形状に合わせた壁面固定部１４と、ガイドレール１１を直接支持し固定するレール固定部１５とで構成され、ここでは、図３に示すようなＨ型鋼９の下端フランジ部９ａを利用して壁面固定部１４をボルト・ナットで固定するが、これに限らず、例えばベランダのフレームなどの形状に対応したものなどをボルト・ナットやアンカーボルトで固定するものを用意する。
【００５７】
この壁面固定部材１３の壁面固定部１４は、図３に側面状態を、図５に平面状態を示すように、固定されるＨ型鋼９の下端フランジ部９ａの下面に当てる水平部１４ａを備え、この水平部１４ａの外側の端部に下方に突き出す垂直部１４ｂが設けられてＬ字状とされ、垂直部１４ｂと反対の水平部１４ａの内側の端部にＴ字状の当て部材１４ｃが取り付けられて下端ブランジ部９ａを水平部１４ａ上でコ字状に囲むことができるようになっている。そして、この壁面固定部１４の垂直部１４ｂに沿ってレール吊下げ支柱部と兼用される当て金具１４ｄが下端フランジ部７ａの幅に対応した間隔で外側に配置されてボルト・ナット１４ｅで締め付けることができるようにしてある。
【００５８】
これにより、壁面固定部１４の当て部材１４ｃで下端フランジ部９ａの奥側を挟んで囲むようにし、下端フランジ部９ａの外側に当て金具１４ｄを垂直部１４ｂにボルト・ナット１４ｅで締め付けることで、壁面５のＨ型鋼９に壁面固定部１４を挟んで固定することができる。
【００５９】
なお、当て金具１４ｄにレール吊下げ支柱部１４ｆを一体として設けて兼用する場合には、後述するように、仮設するガイドレール１１の上端部を吊下げて支持するための支柱とすることができ、少なくともガイドレール１１の上端部に対応する壁面固定部１４に設けてあれば良く、他の部分では、支柱状でなくとも下端フランジ部９ａに当てることができる長さがあれば良い。一方、図示例のように、全ての壁面固定部１４にレール吊り下げ支柱部１４ｆを設けることで、設置場所に応じてレール吊下げ支柱部１４ｆの有無を選び出すことなく、同一構造のものを使用して設置することができ、特に後述する移設の際に都合が良い。
【００６０】
このような壁面固定部１４の下端部の当て金具１４ｄであるレール吊下げ支柱部１４ｆにレール固定部１５が設けられ、２つ割りの固定片１５ａ，１５ａで仮設ガイドレール１１を左右から挟んで壁面５と平行で水平な締付けボルト・ナット１５ｂで締付けて固定でき、ナットを緩めた状態では、ガイドレール１１を上下にスライドさせることができるようにしてある。この締付けボルト・ナット１５ｂのボルトには、脱落を防止するピン用の孔１５ｃが形成してあり、２つ割りの固定片１５ａ、１５ａを間隔をあけて保持できるようにしてある。
【００６１】
このレール固定部１５では、仮設ガイドレール１１としてＨ型材を用い、先端フランジ部１１ａの左右両側を走行ガイド部分とし、後端フランジ部１１ｂとウエブ部１１ｃの後端部とを挟んで固定することから、そのＨ型の断面形状に対応してそれぞれの固定片１５ａ，１５ａに凹部が形成され、この凹部の上下にロート状のガイド部１５ｄが形成してある。
【００６２】
これにより、ガイドレール１１をレール固定部１５の間隔をあけた状態の固定片１５ａ，１５ａの間に上下から簡単に挿入することができる。
【００６３】
次に、作業用ケージ４に設けられるガイドローラ１２は、図３に側面状態を、図５に平面状態および一部の分解状態をそれぞれ示すように、２個一組の溝付きのガイドローラ１２ａ，１２ａがローラ取付金具１２ｂにガイドレール１１のレール幅（Ｈ型材のフランジ１１ａ，１１ｃの幅）Ｄより広い間隔Ｄ１で取り付けられている。そして、２個一組のガイドローラ１２ａ、１２ａは上下に二組配置され、このためローラ取付金具１２ｂは、ガイドローラ取付部材１２ｃの上下に取り付けた取付軸１２ｄにそれぞれ取付ブッシュ１２ｅを介して揺動可能に取り付けられ、２個一組のそれぞれのガイドローラ１２ａ，１２ａを４５度揺動させて固定できるように、取付軸１２ｄおよび取付ブッシュ１２ｅにピン孔１２ｆが形成してある。
【００６４】
これにより、２個一組のそれぞれのガイドローラ１２ａ，１２ａを水平に位置させて間隔をＤ１とした状態から４５度揺動させると、２つのガイドローラ１２ａ，１２ａの溝でガイドレール１１を両側から挟むようになり、この状態でピン孔１２ｆにピンを入れて固定することで、ガイドローラ１２がガイドレール１１に嵌合された状態で上下方向に沿って転動でき、左右および接近離反方向にはガイドできるようになる。
【００６５】
そして、ガイドローラ１２が上下に設けられたガイドローラ取付部材１２ｃは、上下方向に配置され、その中央部が、図３に示すように、壁面５と平行で水平な水平軸１２ｇを介して回動可能に第１連結部材１２ｈが取り付けられ、この第１連結部材１２ｈの基端部に壁面５に垂直な垂直軸１２ｉを介して第２連結部材１２ｊが連結され、この第２連結部材１２ｊの基端部に壁面５に垂直な垂直軸１２ｋを介して作業用ケージ４の前面に取り付けられる。
【００６６】
これにより、上下二組のガイドローラ１２ａ，１２ａと作業用ケージ４とは、壁面５に対する間隔を一定に保持しながら水平軸１２ｇおよび２本の垂直軸１２ｉ、１２ｋで壁面５に対する２軸回りの回動を許容することができる。
【００６７】
さらに、この壁面作業用ガイド装置１０では、作業用ケージ４の前面にガイドレール吊下げアーム１６が設けられ、その下端固定部１６ａにガイドローラ取付部材１２ｃの垂直軸１２ｋが取り付けてある。
【００６８】
このガイドレール吊下げアーム１６は、図３に側面状態を、図４に正面状態をそれぞれ示すように、折り畳み可能に構成されてガイドレールの仮設作業時以外の作業に支障がないようにしてある。
【００６９】
このガイドレール吊下げアーム１６は、作業用ケージ４の前面に固定される下端固定部１６ａの上端部に壁面５と平行に回動する第１アーム１６ｂが取り付けられ、この第１アーム１６ｂの上端部に壁面５に向かって突き出すように回動する第２アーム１６ｃを取り付けて構成してあり、使用状態を保持するため第１アーム１６ｂおよび第２アーム１６ｃの基端部に回動を規制して固定する固定ピン用のピン孔１６ｄ、１６ｄが形成してあり、固定ピンを挿入できるようにしてある。
【００７０】
そして、第２アーム１６ｃの上端部にチェーンフック１７が取り付けてあり、ガイドレール１１の上端に取り付けられるシャックル１１ａに引っ掛けて支持できるようにしてある。
【００７１】
次に、このように構成した壁面作業用ガイド装置１０の設置方法について説明する。  
この壁面作業用ガイド装置１０を設置する前に、ガイド対象となるゴンドラ装置６を設置しておく。ゴンドラ装置６としては、例えば図１および図２に示すように、建築物１の屋上２に台車式支持装置７を設置し、この台車式支持装置７を介して吊下げたワイヤロープ３を、作業用ケージ４に搭載したエンドレスワインダで構成した巻上機８に巻きかけて昇降可能とする。
【００７２】
一方、左右２本のガイドレール１１を仮設するため、まず、壁面５に予め墨だしを行ってそれぞれのガイドレール１１の縦方向の位置を定める。
【００７３】
こののち、建築物１の壁面５の墨出しで定めた位置で壁面固定部材１３の壁面固定部１４にレール固定部１５を取り付けた状態とし、それぞれの固定すべきＨ型鋼９の下端フランジ部９ａを挟むように壁面固定部１４を当ててボルト・ナット１４ｅで締め付けて上下方向の一区分の作業範囲に必要個数固定する。
【００７４】
この状態では、各壁面固定部材１３には、壁面固定部１４にレール吊下げ支柱部１４ｆが取り付けられ、その下端部にレール固定部１５が取り付けられている。
【００７５】
そして、作業用ケージ４にガイドレール吊下げアーム１６を前面の左右に取り付けることで、ガイドローラ１２を左右のガイドレール取付部材１２ｃの上下に取り付け、４組のガイドローラ１２ａ、１２ａでガイドできるようにする。
【００７６】
この後、作業用ケージ４に取り付けたガイドレール吊下げアーム１６を使用状態として二つのピン孔1６ｄにそれぞれ固定ピンを挿入し、上端の第２アーム１６ｃに取り付けたチェーンフック１７を地上に用意したガイドレール１１の上端のシャックル１１ａに掛けて吊り上げることができるようにする。
【００７７】
次いで、作業用ゴンドラ４を上昇させながら必要に応じてガイドレール１１を連結部材１１ｂを両側から当ててボルト・ナットで締め付けて連結して行くとともに、ガイドレール１１の上端を壁面５に取り付けたレール固定部１５の固定片１５ａ、１５ａの間に挿入しながら仮設すべき上端位置まで上昇する。
【００７８】
このとき、レール固定部１５の固定片１５ａ，１５ａの間隔をあけた状態（ボルトにナットは取り付けた状態でピンで押えた状態）でロート状のガイド部１５ｄを利用して仮設ガイドレール１１を吊り上げながら簡単に固定片１５ａ，１５ａの間に挿入することができる。
【００７９】
そして、最上端のガイドレール１１のシャックル１１ａに予め別に取り付けておいたチェーンフック１８を壁面５の最上端の壁面固定部材１３のレール吊下げ支柱部１４ｆに引っ掛けて荷重を支持できるようにした後、作業用ケージ４を僅かに下降してガイドレール吊下げアーム１６のチェーンフック１７をわたませて取り外し、ガイドレール１１の荷重を壁面固定部材１３に移し替える。
【００８０】
この後、作業用ケージ４を下降させながら各レール固定部１５の固定片１５ａ，１５ａを締付けボルト・ナット１５ｂで締め付けることで、ガイドレール１１を壁面５に固定した状態とする。
【００８１】
こうして２本のガイドレール１１を一区画分の作業範囲に仮設した後、作業用ケージ４に取り付けた４組のガイドローラ１２ａ、１２ａを４５度揺動させてガイドレール１１の両側を挟むように嵌合して装着し、ピン用の孔１５ｃにピンを挿入することで、ガイドローラ１２の装着が完了する。
【００８２】
さらに、ガイドレール吊下げアーム１６を２箇所のピンを抜いて折り畳むことで、作業の支障にならないようにする。
【００８３】
このようにしてガイドレール１１を簡単に壁面５に仮設し、ガイドローラ１２を装着してガイドすることができ、作業用ケージ４のゆれを抑えることができるとともに、壁面５に対して行う作業の反力を支持することもでき、安定した状態で作業することができる。
【００８４】
こうして、上下の一区画分の作業範囲に対する作業が完了した後、ガイドレール１１を下方の次の作業範囲に移設する。
【００８５】
なお、上下の作業範囲の全長にわたってガイドレール１１を仮設するようにしても良く、この場合には、下方への移設の必要はない。
【００８６】
この場合には、それぞれの壁面固定部材１３のレール固定部１５の固定片１５ａ,１５ａの締付けボルト・ナット１５ｂを緩めるとともに、作業用ケージ４の折り畳んであるガイドレール吊下げアーム１６を組み立てて２箇所に固定用のピンを挿入し、ガイドレール１１の最上端部まで上昇し、ガイドレール１１の上端のシャックル１１ａに作業用ケージ４側のチェーンフック１７を引っ掛けてさらに僅かに上昇し、壁面固定部材１３側のチェーンフック１８をたわませて外すことで、ガイドレール１１の荷重を作業用ケージ４で支持するようにする。
【００８７】
こののち、作業用ケージ４を下降させるとともに、ガイドレール１１をレール固定部１５部分をスライドさせながら下降させ、次の仮設位置の最上端の壁面固定部材１３にガイドレール１１のチェーンフック１８を引っ掛け、作業用ケージ４を僅かに下降してガイドレール１１の荷重を壁面５側に移し替え、作業用ケージ４側のチェーンフック１７を緩めて取り外す。
【００８８】
この後、それぞれのレール固定部１５の固定片１５ａ，１５ａを締付けボルト・ナット１５ｂで締め付けて固定することで移設が完了する。
【００８９】
なお、ガイドレール１１の移設に必要な壁面固定部材１３は、予め取り付けておくようにしたり、移設の際に取り付けるようにする場合のいずれでも良い。
【００９０】
さらに、ガイドレール吊下げアーム１６を２箇所のピンを抜いて折り畳むことで、作業の支障にならないようにする。
【００９１】
この移設の場合には、４組のガイドローラ１２は移設中も装着した状態のままで良く、ガイドローラ１２によっても安定した状態でガイドレール１１を下降させることができる。
【００９２】
こうしてガイドレール１１を次の作業範囲に簡単に移設することができ、作業用ケージ４のゆれを抑えることができるとともに、壁面５に対して行う作業の反力を支持することもでき、安定した状態で作業することができる。
【００９３】
なお、この壁面作業用ガイド装置１０およびその設置方法では、壁面５にある、固定できる部分の形状に対応した壁面固定部１４を用意することで、どのような壁面５にも簡単に固定してレール固定部１５を取り付けることができ、特に壁面５に利用できる部分がなければアンカーボルトを用いて固定してレール固定部１５を取り付けるようにすれば良い。
【００９４】
また、ガイド対象として自動作業機などの昇降体をガイドする場合には、ガイドローラを昇降体である自動作業機に取り付けるようにし、ガイドレール吊下げアーム１６を作業用ケージ４に取り付けて作業用ケージ４を用いて壁面固定部材１３の壁面５への取り付けなどのガイドレール１１の仮設作業を行うようにすれば良い。
【００９５】
次ぎに、この発明の壁面作業用仮設ガイド装置の他の一実施の形態について、図６〜図９により詳細に説明する。  
この壁面作業用仮設ガイド装置２０では、図６および図７に示すように、仮設ガイドレール２１とガイド部材２４との配置を逆にしており、仮設ガイドレール２１を昇降体である作業用ケージ４に取り付ける一方、壁面５には、仮設ガイドレール２１を上下にスライド可能に支持するガイド部材を構成するレール支持部材２４を上下に一定間隔で固定し、少なくとも上下２ヵ所のレール支持部材２４で仮設ガイドレール２１を支持することで、昇降体である作業用ケージ４の揺れなどを防止できるようにする。
【００９６】
作業用ケージ４に固定する仮設ガイドレール２１は、固定用ガイドレール２１Ａ，連結用ガイドレール２１Ｂ，上下端の端部用ガイドレール２１Ｃを連結して構成され、金属製の円筒状とされ、例えば外径が４０ｍｍ程度のアルミパイプが用いられる。固定用ガイドレール２１Ａは、その側面に矩形の薄い取り付け板２１ａが軸方向に沿って配置されて溶接してある。この固定用ガイドレール２１Ａの取り付け板２１ａには、作業用ケージ４の手すりに固定する固定金具２２が上下２箇所に配置され、固定金具２２の一端部の連結板２２ａが長孔を介して位置調整可能にボルト２１ｂで締め付けてある。
【００９７】
この固定金具２２の他端部には、手すりに上方から被せることができるように２つのＬ字状の板を組み合わせて下方に開口したコ字状の固定部２２ｂが構成され、開口部下端を塞ぐようにボルト２２ｃを挿通して手すりに固定できるようにしてあり、この固定部２２ｂの上端部の２枚の板と連結板２２ａとの間も長孔を介して位置調整可能にボルト２２ｄで連結してある。このような固定金具２２により、作業用ケージ４の手すりの大きさや上下の間隔などが異なる場合にも位置調整だけで対応できるようにしてある。
【００９８】
また、作業用ケージ４に固定する仮設ガイドレール２１としては、壁面５に取り付けるガイド部材を構成するレール支持部材２４に、少なくとも上下２箇所同時にガイドさせる必要があり、例えば建築物の各階に対応してガイド部材を取り付ける場合には、仮設ガイドレール２１は、少なくとも２階分の長さを確保する必要がある。
【００９９】
このため、固定用ガイドレール２１Ａの両端部に連結用ガイドレール２１Ｂが連結される。この連結用ガイドレール２１Ｂは、図８に示すように、固定用ガイドレール２１Ａと同一の外径の金属パイプで構成され、上下側壁のパイプ端から所定位置に連結用孔２１ｃが対向して形成してあり、同一仕様の連結用孔２１ｃは固定用ガイドレール２１Ａの上下側壁のパイプ端から所定位置と端部用ガイドレール２１Ｃの基端側壁のパイプ端から所定位置にも形成してある。
【０１００】
また、連結用ガイドレール２１Ｂには、上下側面に突き出してワイヤ連結用の孔があけられたブラケット２１ｄが溶接してあり、同一仕様のブラケット２１ｄが固定用ガイドレール２１Ａの上下側面と端部用ガイドレール２１Ｃの基端側面に取り付けてある。
【０１０１】
さらに、端部用ガイドレール２１Ｃには、円すい状のキャップ２１ｅが取り付けてあり、先端部に水抜き用の孔が形成してある。
【０１０２】
これら固定用ガイドレール２１Ａ，連結用ガイドレール２１Ｂ，端部用ガイドレール２１Ｃの隣接する２つの連結用孔２１ｃを用いて連結するため、連結具２３が用いられる。
【０１０３】
この連結具２３は、図８に示すように、横断面形状が略台形状の２つの連結片２３ａを底面部分を背中合わせにして構成され、各連結片２３ａの上下の外側面に連結用孔２１ｃに嵌合される突起部２３ｂが形成され、一方の連結片２３ａの中間部にねじが形成されて段付きボルト２３ｃがねじ込まれ、他方の連結片２３ａとナットで締め付けて回転できるようになっている。
【０１０４】
したがって、連結具２３を連結すべき上下２本の仮設ガイドレール２１内に位置させ、段付きボルト２３ｃを回転して背中合わせの２つの連結片２３ａを離反させて押し広げるようにして上下の突起部２３ｂをそれぞれの仮設ガイドレール２１の連結用孔２１ｃに嵌合して締め付けることで、直線状に連結することができる。そして、連結された仮設ガイドレール２１の上下端部に、端部用ガイドレール２１Ｃを連結することで、上下端部に円すい状のキャップ２１ｅが配置され、レール支持部材２４にスムーズに挿通してガイドできるようにする。
【０１０５】
さらに、連結された仮設ガイドレール２１同士のブラケット２１ｄのワイヤ連結用の孔に落下防止用ワイヤ２３ｄが連結され、万一の仮設ガイドレール２１の落下を防止して安全性を確保する。
【０１０６】
このような仮設ガイドレール２１は昇降体である作業用ケージ４の左右に２本平行に取り付けられる。
【０１０７】
このような２本の仮設ガイドレール２１をガイドするため、壁面５に取り付けられるガイド部材を構成するレール支持部材２４は、図９に示すように、２つの円すいガイド部２４ａ同士を上下に連結して両端が大径で中央部が仮設ガイドレール２１の外径より大きい小径とされて仮設ガイドレール２１がスムーズに通過できるようにしてある。また、これら円すいガイド部２４ａの昇降体である作業用ケージ４と対向する側面に、上下方向に沿ってガイド溝部２４ｂが設けてあり、このガイド溝２４ｂも中央部が仮設ガイドレール２１の取り付け板２１ａの板厚より広い幅とされ、上下端はさらに広い幅とされ、取り付け板２１ａがガイドされ、スムーズに通過できるようにしてある。そして、このガイド溝部２４ｂと対角位置の外側面に固定用の固定板２４ｃがガイド溝部２４ｂと平行に溶接などで取り付けられてレール支持部材２４が構成される。
【０１０８】
このレール支持部材２４は、すでに説明した仮設ガイドレール１１を壁面に仮設固定するための壁面固定部材１３を用いて仮設され、壁面固定部１４の当て金具１４ｄにレール支持部材２４の固定板２４ｃをボルト・ナット２４ｄで締め付けて取り付ける。
【０１０９】
このレール支持部材２４を取り付けた壁面固定部材１３は、例えば壁面５の各階に配置されたＨ型鋼９を壁面固定部１４で挟むようにしてボルト・ナット１４ｅで仮設固定される。
【０１１０】
このように構成した壁面作業用ガイド装置２０を有人作業用の作業用ケージに適用してガイドする場合には、すでに説明した壁面作業用ガイド装置１０の場合と同様に、ガイド対象となるゴンドラ装置６を設置し、建築物１の屋上２から吊下げたワイヤロープ３を、作業用ケージ４に搭載したエンドレスワインダで構成した巻上機８に巻きかけて昇降可能とする。
【０１１１】
一方、左右２本のガイドレール２１をガイドするレール支持部材２４を仮設するため、まず、壁面５に予め墨だしを行ってそれぞれのガイドレール１１に対応する縦方向の位置を定める。
【０１１２】
こののち、建築物１の壁面５の墨出しで定めた位置に、壁面固定部材１３の壁面固定部１４にレール支持部材２４を取り付けた状態とし、各階のそれぞれの固定すべきＨ型鋼９の下端フランジ部９ａを挟むように壁面固定部１４を当ててボルト・ナット１４ｅで締め付けて作業対象となる建築物１の上下方向の作業範囲全体に２列仮設して固定する。
【０１１３】
一方、作業用ケージ４に仮設ガイドレール２１を取り付けるため、固定用ガイドレール２１Ａの上下に必要本数の連結用ガイドレール２１Ｂを連結するとともに、上下端に端部用ガイドレール２１Ｃを連結し、連結具２３の段付きボルト２３ｃを回転して突起部２３ｂを連結用孔２１ｃに嵌合して連結した後、上下に隣接する各仮設ガイドレール２１のブラケット２１ｄ間に落下防止用ワイヤ２３ｄを連結しておく。
【０１１４】
こうして同時に上下２箇所をレール支持部材２４でガイドできる長さとした仮設ガイドレール２１は、中間部に位置する固定用ガイドレール２１Ａの側面の取り付け板２１ａと、作業用ケージ４の手すりにボルト２２ｃで固定部２２ｂを介して取り付けた固定金具２２の連結板２２ａとをボルト２１ｂで締め付けて連結することで取り付け、２本の平行な仮設ガイドレール２１が作業用ケージ４の壁面５側に位置するようにする。
【０１１５】
このとき、作業用ケージ４の昇降位置に応じて、作業用ケージ４の位置から届くレール支持部材２４の円すいガイド部２４ａに仮設ガイドレール２１を挿通した状態にしておく。
【０１１６】
例えば作業用ケージ４の最下降位置が地上の場合には、作業用ケージ４の手すりへの固定金具２３の固定を開放しておき、作業用ケージ４から下方に突き出す仮設ガイドレール２１が地上と干渉しない位置まで上昇した後、固定金具２３を作業用ケージ４の手すりに取り付けるようにする。
【０１１７】
また、作業用ケージ４を地面まで下降する場合には、同様に、固定金具２３と作業用ケージ４の手すりとの連結を開放した後に下降し接地するようにする。
【０１１８】
こうして、作業用ケージ４に仮設ガイドレール２１を２本取り付け、壁面５の全作業範囲に予めレール支持部材２４を壁面固定部材１３で固定しておくことで、仮設ガイドレール２１がいずれの昇降位置においても同時に上下２ヶ所のレール支持部材２４で支持されることになり、円すいガイド部２４ａ同士の中間部で仮設ガイドレール２１の動きが規制され、壁面５と平行な左右方向および接近離反方向の揺れを抑えることができ、作業にともなう反力なども有効に支持することができる。
【０１１９】
また、レール支持部材２４の上下が大径の円すいガイド部２４ａとしてあるので、仮設ガイドレール２１の乗り移りが容易にできるとともに、仮設ガイドレール２１自体の端部にキャップ２１ｅを取り付けて先細としてあるので、一層スムーズに乗り移ることができる。そして、仮設ガイドレール２１の取り付け板２１ａやブラケット２１ｄもレール支持部材２４のガイド溝部２４ｂによってスムーズに通過することができる。
【０１２０】
さらに、このような壁面作業用ガイド装置２０によれば、壁面５へのレール支持部材２４の取り付けと作業用ケージ４への仮設ガイドレール２１の取付けを完了することで、作業を開始することができ、作業開始後の仮設ガイドレールやレール支持部材の盛り替えなどの作業が必要なく、しかも部品点数も少なく装置全体を安価に構成することができるとともに、効率的に作業することができる。
【０１２１】
次に、この発明のさらに他の一実施の形態について、図１０により説明するが、既に説明した上記実施の形態と同一部分には、同一記号を記し、重複する説明は省略する。
【０１２２】
この壁面作業用ガイド装置２０Ａでは、壁面作業用ガイド装置２０の円すいガイド部２４ａを備えたレール支持部材２４に替え、２つのガイドローラ２５ａを備えたレール支持部材２５としたものである。
【０１２３】
このレール支持部材２５では、仮設ガイドレール２１を両側から挟むようにして転動しながら支持するほぼ半円状の溝つきのガイドローラ２５ａが水平方向に並べられ、仮設ガイドレール２１の取付け板２１ａが通過できる間隔をあけて固定板２５ｂに回転可能に取り付けて構成してある。そして、固定板２５ｂを壁面固定部材１３の壁面固定部１４の当て金具１４ｄにボルト２５ｃで取り付けることで、壁面５に仮設される。
【０１２４】
なお、他の構成は、すでに説明した壁面作業用ガイド装置２０と同一である。  
また、設置方法およびガイド方法も摺動式とローラ式の違いがあるものの、同一の工程で設置し、ガイドすることができる。
【０１２５】
この壁面作業用ガイド装置２０Ａによれば、仮設ガイドレール２１が２つのガイドローラ２５ａでガイドされるので、作業用ケージ４が昇降する場合の抵抗が少なく、一層スムーズに昇降させて作業することができるほか、すでに説明した壁面作業用ガイド装置２０と同一の作用効果を奏する。
【０１２６】
次に、仮設ガイドレールの異なる実施の形態について、図１１により説明する。  
上記の仮設ガイドレール２1では、下端部に連結される連結用ガイドレール２１Ｂや端部ガイドレール２１Ｃに替えて使用するもので、作業用ケージ４を地上まで下降しようとすると、作業用ケージ４の下方に突き出している仮設ガイドレール２１が邪魔になり、固定金具２２部分で作業用ケージ４から切り離すようにする必要があるが、この伸縮式ガイドレール２６では、伸縮して収納できるように構成してある。
【０１２７】
この伸縮式ガイドレール２６は、複数の径の異なる複数本の円筒状のレール部材２６ａで構成して多重円筒状に収納することで縮めることができるようにし、伸長位置では、係止できるように各レール部材２６ａの上端にフランジ部２６ｂを形成するとともに、下端にリング状の係止部２６ｃを形成する。
【０１２８】
そして、自動的に伸長させるため、例えば下端部に重り２６ｄを取り付けたり、あるいはスプリング２６ｅをレール部材２６ａの内部に介装して伸長方向に付勢するように取り付ける。
【０１２９】
このような伸縮式ガイドレール２６を作業用ケージ４の下方に突き出して連結しておくことで、作業用ケージ４を下降して伸縮式ガイドレール２６の先端が地上に接触すると、レール部材２６ａが下方から次第に相対的に縮むように収納され、支障なく地上まで下降することができる。また、上昇すると、重り２６ｄあるいはスプリング２６ｅでレール部材２６ａが自動的に伸長され、常時２ヶ所のレール支持部材２４でガイドされる状態として作業を行うことができる。
【０１３０】
次に、仮設ガイドレールを、昇降体を構成する作業用ケージに自由度を持って取り付ける実施の形態について、図１２により説明する。  
上記の壁面作業用ガイド装置２０，２０Ａでは、昇降体を構成する作業用ケージ４に仮設ガイドレール２1を固定金具２２で取り付けているのに対し、可動取付金具２７を用いることで、仮設ガイドレール２１と作業用ケージ４とが自由度を持って連結し、仮設ガイドレール２１とレール支持部材２４，２５との芯ずれを調整可能とする。
【０１３１】
この可動取付金具２７は、例えば図１２（ａ）に示すように、手すりの上面および外側面を囲むＬ字状の固定板２７ａと、内側面に当てるコ字状の当て板２７ｂの連結部分とで下方が開口するように配置し、開口をボルト２７ｃで締め付けるとともに、固定板２７ａと当て板２７ｂの上部の重なり部をボルト２７ｄで締め付けることで、固定金具２２と同様にして手すりに締め付けて固定される。そして、当て板２７ｂの先端部の上下の板の外側に可動板２７ｅの上下の板が配置され、可動板２７ｅの上下の板に長孔２７ｆが形成されて当て板２７ｂの上下の板と段付きボルト２７ｇで取り付けてあり、長孔２７ｆの範囲で、当て板２７ｂの上下の板に沿って移動でき、可動板２７ｅの上下の板の間に仮設ガイドレール２１の取り付け板２１ａとボルト２１ｂで連結する連結板２７ｈが溶接などで取り付けてある。
【０１３２】
したがって、可動取付金具２７の可動板２７ｅに形成する長孔２７ｆを壁面５に平行な水平方向とすることで、２本の仮設ガイドレール２１の間隔を変えるように調整でき、仮設ガイドレール２１とレール支持部材２４，２５との芯ずれを調整することが可能となる。
【０１３３】
さらに、可動取付金具２７Ａとして、例えば図１２（ｂ）に示すように、当て板２７ｂの先端部にヒンジ板２７ｉを段付きボルト２７ｊで回動可能に取り付け、このヒンジ板２７ｉの他端に可動板２７ｅを段付きボルト２７ｇで回動可能に取り付けてある。そして、可動板２７ｅに仮設ガイドレール２１の取り付け板２１ａとボルト２１ｂで連結する連結板２７ｈが溶接などで取り付けてある。
【０１３４】
したがって、この可動取付金具２７Ａでは、当て板２７ｂと可動板２７ｅとの間に、両端部がそれぞれ段付きボルト２７ｇ、２７ｊで鉛直軸回りに回動可能なヒンジ板２７ｉが設けてあるので、作業用ケージ４との距離および２本の仮設ガイドレール２１の間隔を調整することができ、仮設ガイドレール２１とレール支持部材２４，２５との芯ずれを調整することが可能となる。
【０１３５】
以上、詳細に説明したように、この発明の壁面作業用ガイド装置１０によれば、壁面５に間隔をあけて直線上に固定され仮設ガイドレール１１を固定しまたは上下方向にスライド可能に支持するレール固定部１５を備える複数の壁面固定部材１３と、少なくとも上端部に配設される壁面固定部材１３に設けられ仮設ガイドレール１１の上端部を支持するレール支持部材１４ｆと、壁面５に沿って昇降する昇降体４に設けられ仮設ガイドレール１１に沿って転動しガイドするガイドローラ１２とを備えたので、壁面５に直線上に固定した壁面固定部材１３のレール固定部１５に仮設ガイドレール１１を昇降体４で吊り下げて装着しながらスライドさせ、上端部を壁面固定部材１３のレール支持部材１４ｆに支持させるとともに、レール固定部１５で固定することでガイドレール１１を簡単に設置することができ、このガイドレール１１に沿って転動するように昇降体４のガイドローラ１２を装着することで、仮設ガイドレール１１にガイドされて揺れを防止することができ、安定した状態で昇降体４から作業することができる。
【０１３６】
また、この発明の壁面作業用ガイド装置１０によれば、ガイドローラ１２を、仮設ガイドレール１１を両側から挟んで転動する少なくとも２個１対のガイドローラ１２ａ，１２ａで構成するとともに、１対のガイドローラ１２ａ，１２ａを仮設ガイドレール１１のレール幅Ｄより広い間隔Ｄ１で取り付けかつ１対のガイドローラ１２ａ，１２ａをガイドレール１１のレール面と直交する揺動軸１２ｄの回りに揺動可能とし仮設ガイドレール１１に装着したのち揺動して挟持可能に構成したので、1対のガイドローラ１２ａ，１２ａを仮設ガイドレール１１に装着して揺動して挟むようにすることで、簡単にガイドローラ１２ａ，１２ａを仮設ガイドレール１１に装着してガイドすることができる。
【０１３７】
さらに、この発明の壁面作業用ガイド装置１０によれば、ガイドローラ１２をガイドローラ取付部材１２ｃの上下に設け、このガイドローラ取付部材１２ｃの中央部を壁面と平行な水平軸１２ｇの回りに回動可能かつ壁面５に直交する垂直軸１２ｉ，１２ｋの回りに回動可能に昇降体４に取り付けてガイドするようにしたので、ガイドローラ１２と昇降体４との接近離反方向の揺れを防止しながら昇
降体４の水平姿勢変化及びガイドレール１１，１１の取付間隔を許容することができる。
【０１３８】
また、この発明の壁面作業用ガイド装置１０によれば、昇降体４に、仮設ガイドレール１１を吊り下げてレール固定部１５に沿ってスライド昇降させるガイドレール吊下げアーム１６を設けたので、このガイドレール吊り下げアーム１６によって仮設ガイドレール１１を昇降させる場合の支持を簡単に行うことができる。
【０１３９】
さらに、この発明の壁面作業用ガイド装置１０によれば、ガイドレール吊下げアーム１６を、昇降体４内に収納可能な折り畳み構造として下端固定部１６ａ，第1アーム１６ｂおよび第２アーム１６ｃとで構成したので、仮設ガイドレール１１の設置や盛り替え（移設）の場合以外にガイドレール吊下げアーム１６を折り畳むことで、昇降体４からの作業の邪魔にならず、効率良く作業することができる。
【０１４０】
また、この発明の壁面作業用ガイド装置１０によれば、レール固定部１５の上下に仮設ガイドレール１１の挿入をガイドするロート状のガイド部１５ｄを形成したので、これにより、仮設ガイドレール１１を吊上げて上昇させて設置する場合や下降させて移設する場合に容易にレール固定部１５に挿入スライドさせることができ、仮設作業を容易に行うことができる。
【０１４１】
さらに、この発明の壁面作業用ガイドレール１１の設置方法によれば、昇降体４が沿って昇降する壁面５に昇降体４の昇降をガイドするガイドローラ１２用の仮設ガイドレール１１を設置する際に、壁面５に間隔をあけて直線上に仮設ガイドレール１１を固定しまたは上下方向にスライド可能に支持するレール固定部１５を備える壁面固定部材１３を複数固定し、昇降体４で仮設ガイドレール１１の上端を吊り下げて上昇しながらレール固定部１５に挿入スライドさせて装着するとともに、必要に応じて仮設ガイドレール１１を連結延長する一方、少なくとも上端部に配設される壁面固定部材１３に設けられたレール支持部材１４ｆに仮設ガイドレール１１の上端部を吊り替えて支持させた後、壁面固定部材１３のレール固定部１５で仮設ガイドレール１１を固定して設置するようにしたので、壁面５に直線上にレール固定部１５を備えた壁面固定部材１３を固定し、仮設ガイドレール１１を昇降体４で吊り下げて上昇ながら装着してスライドさせ、上端部を壁面固定部材１３のレール支持部材１４ｆに支持させるとともに、レール固定部１４ｆで固定することでガイドレール１１を簡単に設置することができ、このガイドレール１１に沿って転動するように昇降体４のガイドローラ１２を装着することで、仮設ガイドレール１１にガイドされて揺れを防止することができ、安定した状態で昇降体４から作業をおこなうことができる。
【０１４２】
また、この発明の壁面作業用ガイドレール１１の設置方法によれば、仮設ガイドレール１１を吊り下げて上昇した後、あるいは仮設ガイドレール１１をレール固定部１５に固定して設置した後に、昇降体４に設けたガイドローラ１２で仮設ガイドレール１１を両側から挟んで転動してガイドするようにしたので、仮設したガイドレール１１に昇降体４のガイドローラ１２を両側から挟むようにすることで、簡単に仮設ガイドレール１１に装着してガイドさせることができる。
【０１４３】
さらに、この発明の壁面作業用ガイドレール１１の設置方法によれば、仮設ガイドレール１１を固定しているレール固定部１５で仮設ガイドレール１１をスライド可能にした後、昇降体４でガイドレール１１を吊り下げて吊り替え、この昇降体４を下降させるとともに仮設ガイドレール１１をスライド下降させて予め壁面５に固定しておいた壁面固定部材１３のレール固定部１５に挿入しながらスライドさせて装着し、下降移設した仮設ガイドレール１１の上端部をレール支持部材１４ｆに吊り替えて支持させた後、レール固定部１５で仮設ガイドレール１１を固定設置するようにしたので、仮設ガイドレール１１を下方に移設する場合にもレール固定部１５を緩めて昇降体４に吊り替えて下降させてスライドすることで、移設する壁面５に固定したレール固定部１５に固定設置して簡単に移設することができる。
【０１４４】
また、この発明の壁面作業用ガイドレール１１の設置方法によれば、昇降体４に、仮設ガイドレール１１の昇降および吊り替えを行う吊下げアーム１６を設けて仮設ガイドレール１１の設置および移設を行うようにしたので、ガイドレール吊り下げアーム１６で吊り下げることで簡単に仮設したり、移設することができる。
【０１４５】
さらに、この発明の壁面作業用ガイドレール装置２０，２０Ａによれば、仮設ガイドレール２１を、昇降体４に間隔をあけて昇降方向に設置する一方、仮設ガイドレール２１を上下方向にスライド可能に支持するレール支持部材２４，２５を壁面５に複数設けてガイド部材を構成したので、壁面５にレール支持部材２４，２５を設けるだけで昇降体４の仮設ガイドレール２１をガイドすることができ、揺れを防止して安定した状態で昇降体４から作業することができる。
【０１４６】
また、この発明の壁面作業用ガイドレール装置２０，２０Ａによれば、レール支持部材２４，２５を、昇降体４の仮設ガイドレール２１の少なくとも上下２箇所を同時に支持しえる間隔に設置するようにしたので、昇降体４の昇降位置によらずガイドすることができ、安定した状態で作業することができる。
【０１４７】
さらに、この発明の壁面作業用ガイドレール装置２０によれば、レール支持部材２４を、上下端部に大径の円すいガイド部２４ａを備えるとともに、昇降体４との対向部に仮設ガイドレール２１を挿通し得るガイド溝部２４ｂを設けて構成したので、円すいガイド部２４ａによってレール支持部材２４の乗り移りをスムーズに行うことができ、ガイド溝部２４ｂで昇降体４を円滑に通過させることができる。
【０１４８】
また、この発明の壁面作業用ガイドレール装置２０，２０Ａによれば、仮設ガイドレール２１を、昇降体４に可動取付金具２７，２７Ａを介して取り付けて自由度を付与したので、レール支持部材２４，２５の取り付け状態によらずスムーズに昇降してガイドすることができる。
【０１４９】
さらに、この発明の壁面作業用ガイドレール装置２０，２０Ａによれば、伸縮式ガイドレール２６で昇降体４より下方の突出部を伸縮収納可能に構成したので、仮設ガイドレール２１に昇降体４から下方に突き出す部分があってもその影響を受けずに下降させて作業することができる。
【図面の簡単な説明】
【０１５０】
【図１】この発明の壁面作業用ガイド装置を有人作業用の作業ケージを備えるゴンドラ装置に適用した一実施の形態にかかる全体の概略側面図である。
【図２】この発明の壁面作業用ガイド装置を有人作業用の作業ケージを備えるゴンドラ装置に適用した一実施の形態にかかる全体の概略正面図である。
【図３】この発明の壁面作業用ガイド装置を有人作業用の作業ケージを備えるゴンドラ装置に適用した一実施の形態にかかる拡大した概略側面図である。
【図４】この発明の壁面作業用ガイド装置を有人作業用の作業ケージを備えるゴンドラ装置に適用した一実施の形態にガイドレール吊り上げアーム部分の概略正面図である。
【図５】この発明の壁面作業用ガイド装置を有人作業用の作業ケージを備えるゴンドラ装置に適用した一実施の形態にガイドローラ及び壁面固定部材の概略説明図である。
【図６】この発明の壁面作業用ガイド装置を有人作業用の作業ケージを備えるゴンドラ装置に適用した他の一実施の形態にかかる全体の概略正面図である。
【図７】この発明の壁面作業用ガイド装置を有人作業用の作業ケージを備えるゴンドラ装置に適用した他の一実施の形態にかかる部分平面図および概略側面図である。
【図８】この発明の壁面作業用ガイド装置の一実施の形態にかかるそれぞれ仮設ガイドレールの説明図である。
【図９】この発明の壁面作業用ガイド装置の一実施の形態にかかるそれぞれレール支持部材の説明図である。
【図１０】この発明の壁面作業用ガイド装置を有人作業用の作業ケージを備えるゴンドラ装置に適用した一実施の形態にかかる部分平面図および概略側面図である。
【図１１】この発明の壁面作業用ガイド装置の一実施の形態にガイドレールのそれぞれ説明図である。
【図１２】この発明の壁面作業用ガイド装置の一実施の形態に可動取付金具のそれぞれ概略説明図である。
【符号の説明】
【０１５１】
１          建築物
２          屋上
３          ワイヤロープ
４          作業用ケージ（昇降体）
５          壁面
６          ゴンドラ装置
７          台車式支持装置
８          巻上機
９          Ｈ型鋼
９ａ        下端フランジ部
１０        壁面作業用ガイド装置
１１        ガイドレール
１１ａ      シャックル
１１ｂ      連結部材
１２        ガイドローラ
１２ａ      ガイドローラ
１２ｂ      ローラ取付金具
１２ｃ      ガイドローラ取付部材
１２ｄ      取付軸
１２ｅ      取付ブッシュ
１２ｆ      ピン孔
１２ｇ      水平軸
１２ｈ      第１連結部材
１２ｉ      垂直軸
１２ｊ      第２連結部材
１２ｋ      垂直軸
１３        壁面固定部材
１４        壁面固定部
１４ａ      水平部
１４ｂ      垂直部
１４ｃ      当て部材
１４ｄ      当て金具
１４ｅ      ボルト・ナット
１４ｆ      レール吊下げ支柱部
１５        レール固定部
１５ａ      固定片
１５ｂ      締付けボルト・ナット
１５ｃ      ピン用の孔
１５ｄ      ガイド部
１６        ガイドレール吊下げアーム
１６ａ      下端固定部
１６ｂ      第１アーム
１６ｃ      第２アーム
１６ｄ      ピン孔
１７        チェーンフック（吊下げアーム側）
１８        チェーンフック（ガイドレール側）
２０，２０Ａ  壁面作業用ガイド装置
２１        仮設ガイドレール
２１Ａ      固定用ガイドレール
２１Ｂ      連結用ガイドレール
２１Ｃ      端部用ガイドレール
２１ａ      取り付け板
２１ｂ      ボルト
２１ｃ      連結用孔
２１ｄ      ブラケット
２１ｅ      キャップ
２２        固定金具
２２ａ      連結板
２２ｂ      固定部
２２ｃ      ボルト
２２ｄ      ボルト
２３        連結具
２３ａ      連結片
２３ｂ      突起部
２３ｃ      段つきボルト
２３ｄ      落下防止用ワイヤ
２４        レール支持部材
２４ａ      円すいガイド部
２４ｂ      ガイド溝部
２４ｃ      固定板
２４ｄ      ボルト・ナット
２５        レール支持部材
２５ａ      ガイドローラ
２５ｂ      固定板
２５ｃ      ボルト・ナット
２６        伸縮式ガイドレール
２６ａ      レール部材
２６ｂ      フランジ部
２６ｃ      係止部
２６ｄ      重り
２６ｅ      スプリング
２７，２７Ａ  可動取付金具
２７ａ      固定板
２７ｂ      当て板
２７ｃ      ボルト
２７ｄ      ボルト
２７ｅ      可動板
２７ｆ      長孔
２７ｇ      段付きボルト
２７ｈ      連結板
２７ｉ      ヒンジ板
２７ｊ      段付きボルト
Ｄ          レール幅
Ｄ１        ガイドローラの幅（広幅）
【図１】
2008115683.tif 000003
【図２】
2008115683.tif 000004
【図３】
2008115683.tif 000005
【図４】
2008115683.tif 000006
【図５】
2008115683.tif 000007
【図６】
2008115683.tif 000008
【図７】
2008115683.tif 000009
【図８】
2008115683.tif 000010
【図９】
2008115683.tif 000011
【図１０】
2008115683.tif 000012
【図１１】
2008115683.tif 000013
【図１２】
2008115683.tif 000014